(57)【要約】【課題】所定の画像再現システムによって作成されるプルーフ画像の色を簡単に修正することができる色修正装置、および、コンピュータをこの色修正装置として動作させる色修正プログラムを提供する。【解決手段】ターゲットシステムから出力された網点チャート画像が測色されて得られる第１の測色値を入手する第１の測色値入手部５３０と、画像再現システムから出力された再現網点チャート画像が測色されて得られる第２の測色値を入手する第２の測色値入手部５４０と、第１の測色値と第２の測色値との差をプリンタ色空間における座標差に換算し、この座標差に重み係数を乗じた修正量とターゲット色空間の座標との対応を表わす修正テーブルを作成するテーブル作成部５０４と、等色変換によって得られた変換網点画像データに加算する修正量を上記の修正テーブルに基づいて算出する修正量算出部５０９に修正テーブルを入力するテーブル選択部５０６とを備えた。【選択図】        図５
2006101167.tif 000002
【特許請求の範囲】
【請求項１】
網点構造の網点画像を表わす網点画像データに基づいて該網点画像を出力するターゲットシステムからの該網点画像データの入手と、その網点画像データに前記網点構造よりも微細な単位による等色変換を施すことによる該網点画像データの、所定の再現色空間で色を定義して前記網点画像を表わす変換網点画像データへの変換と、該変換網点画像データに基いた前記網点画像の再現とを行なう画像再現システムに対して、この画像再現システムで再現される再現網点画像の色が、前記ターゲットシステムから出力される網点画像の色に近づくような色修正を組み込む色修正装置において、
一連の色を有する一連のカラーパッチからなるカラーチャート画像が網点で表現された、前記ターゲットシステムから出力された網点チャート画像が測色されて得られる第１の測色値を入手する第１の測色値入手部と、
前記画像再現システムによって前記網点チャート画像が再現された再現網点チャート画像が測色されて得られる第２の測色値を入手する第２の測色値入手部と、
前記第１の測色値と前記第２の測色値との差を前記等色変換の前又は後におけるデータ差に換算し、該データ差と前記等色変換前のデータ値との対応を表わす対応テーブルを作成するテーブル作成部と、
前記対応テーブルに基づいた色修正を前記画像再現システムに組み込む色修正部とを備えたことを特徴とする色修正装置。
【請求項２】
前記画像再現システムが、前記網点画像データが表わす網点画像を平滑化して平滑画像を得るデスクリーニング処理部と、
前記デスクリーニング処理部によって得られた平滑画像を表わすデータ値と前記対応テーブルとに基づいて色修正量を求める修正量算出部とを備えたものであり、
前記色修正部が、前記修正量算出部に前記対応テーブルを組み込むことにより、前記画像再現システムに色修正を組み込むものであることを特徴とする請求項１記載の色修正装置。
【請求項３】
前記第２の測色値入手部および前記テーブル作成部に対し、前記対応テーブルを用いた色修正が組み込まれた画像再現システムを前提として再度の処理を実行させる再処理制御部を備え、
前記テーブル作成部が、前記再度の処理が実行された場合には、該再度の処理で入手された第１の測色値と第２の測色値とに基づいた修正を既に作成済の対応テーブルに施すものであり、
前記対応テーブルを、作成および修正の度に保存するテーブル保存部と、
前記テーブル保存部に保存された対応テーブルの中から１つの対応テーブルを選択し、選択した対応テーブルに基づいた色修正を最終的な色修正として前記画像再現システムに組み込むテーブル選択部とを備えたことを特徴とする請求項１記載の色修正装置。
【請求項４】
前記テーブル作成部が、重み係数によって重み付けされたデータ差と前記等色変換前のデータ値との対応を表わす対応テーブルを作成するものであることを特徴とする請求項１記載の色修正装置。
【請求項５】
前記色修正部が、前記重み係数として、前記再現網点チャート画像の色と前記網点チャート画像の色との色差に応じた重み係数を用いるものであることを特徴とする請求項４記載の色修正装置。
【請求項６】
前記色修正部が、前記重み係数として、設定された重み係数を用いるものであることを特徴とする請求項４記載の色修正装置。
【請求項７】
コンピュータに組み込まれ、該コンピュータを、網点構造の網点画像を表わす網点画像データに基づいて該網点画像を出力するターゲットシステムからの該網点画像データの入手と、その網点画像データに前記網点構造よりも微細な単位による等色変換を施すことによる該網点画像データの、所定の再現色空間で色を定義して前記網点画像を表わす変換網点画像データへの変換と、該変換網点画像データに基いた前記網点画像の再現とを行なう画像再現システムに対して、この画像再現システムで再現される再現網点画像の色が、前記ターゲットシステムから出力される網点画像の色に近づくような色修正を組み込む色修正装置において、
一連の色を有する一連のカラーパッチからなるカラーチャート画像が網点で表現された、前記ターゲットシステムから出力された網点チャート画像が測色されて得られる第１の測色値を入手する第１の測色値入手部と、
前記画像再現システムによって前記網点チャート画像が再現された再現網点チャート画像が測色されて得られる第２の測色値を入手する第２の測色値入手部と、
前記第１の測色値と前記第２の測色値との差を前記等色変換の前又は後におけるデータ差に換算し、該データ差と前記等色変換前のデータ値との対応を表わす対応テーブルを作成するテーブル作成部と、
前記対応テーブルに基づいた色修正を前記画像再現システムに組み込む色修正部とを構築することを特徴とする色修正プログラム。
【発明の詳細な説明】
【技術分野】
【０００１】
本発明は、所定の画像再現システムにおいて再現される網点画像の色が、その画像再現システムに対応するターゲットシステムによって出力される網点画像の色に近づくような色修正をその画像再現システムに組み込む色修正装置、および、コンピュータ内で実行され、そのコンピュータをこの色修正装置として動作させる色修正プログラムに関する。
【背景技術】
【０００２】
従来より、カラー画像印刷を行なう印刷機を含むターゲットシステムによって出力される印刷物の仕上りを事前に確認するために、その印刷物が色も含めて再現されたプルーフ画像を、プリンタ等を含む画像再現システムによって事前に作成する等といったことが行なわれている。
【０００３】
ここで、ターゲットシステムから出力される印刷物の色を再現するために、ターゲットシステムと画像再現システムとのそれぞれに依存した２種類の色空間の間の等色変換関係を定義したデバイスリンクプロファイルを作成し、このデバイスリンクプロファイルに基づいて、ターゲットシステム用の画像データを画像再現システム用の画像データに変換することにより、上記のプルーフ画像を表わす画像データを作成する技術が提案されている（例えば、特許文献１参照。）。
【特許文献１】特開２００２−１３９３８１号公報（第７−１６頁、図６）
【発明の開示】
【発明が解決しようとする課題】
【０００４】
ところで印刷物の刷版の多くは、所定のページ記述言語で画像を表現した画像データから、いわゆるＲＩＰ（Ｒａｓｔｅｒ  Ｉｍａｇｅ  Ｐｒｏｃｅｓｓｏｒ）等による変換処理等を経て最終的に生成される、網点で画像を表現する網点画像データに基づいて作成される。ここで、印刷が終了した後は、後に再度印刷を行なう場合に備えて、印刷物を再現できる何らかのものをある程度の期間保存しておくことが望ましい。印刷物を最も確実に再現できるのは刷版であるが、刷版の長期間に亘る保存は煩雑であるため、一般には、刷版を再現できるデータが保存されることが多い。上記のページ記述言語で画像を表現した画像データからでも刷版を再現することができるが、例えば、データの保存期間中に前回の印刷の際に使用されたＲＩＰが別種のＲＩＰやバージョンの異なるＲＩＰに交換されてしまったりすると、上記の画像データでは、刷版を正確に再現できなくなる恐れがある。このような問題を回避し、刷版を確実に再現するためには、刷版作成の元となった網点画像データを保存することが望ましい。
【０００５】
後日に、このような網点画像データを用いて再度の印刷を行なう際にも、上述したプルーフ画像による仕上がりの確認が行なわれる。この場合、プルーフ画像は、網点画像データから作成されることとなる。ところで、特許文献１に示す技術が適用された画像再現システムでは、上記のデバイスリンクプロファイルは、印刷物を作成するターゲットシステムに依存したターゲット色空間で色を定義した、ＣＭＹＫ４色それぞれの「０」〜「１００」の網パーセントからなる画像データから、プルーフ画像を作成する画像再現システムに依存した出力色空間で色を定義した、ＣＭＹＫ４色それぞれの「０」〜「２５５」のデバイス値からなる画像データへのデータ変換に用いられる。そこで、上記のように網点画像データからプルーフ画像を作成する画像再現システムでは、網点部分の画素値を「１」とし、非網点部分の画素値を「０」として、「０」と「１」の２階調で画像を表わしている網点画像データが、網点部分の画素値を「１００」の網パーセントとし、非網点部分の画素値を「０」の網パーセントとすることによって、ＣＭＹＫ４色それぞれの網パーセントからなる画像データに一旦翻訳される。そして翻訳後の画像データが、上記のデバイスリンクプロファイルに基づいて、出力色空間で色が定義された、ＣＭＹＫ４色それぞれのデバイス値からなる画像データに変換される。そして、この画像データに基づいてプルーフ画像が作成される。このような一連の処理を経ることにより、ターゲットシステムから渡された網点画像データから、印刷物の網点構造が維持されたまま、色がこの網点構造よりもさらに微細な画素単位で再現されたプルーフ画像が作成される。しかしながら、印刷物の画素単位の色が再現されているにも関わらず、ターゲットシステムと画像再現システムとの間の画像形成特性の相違等に起因して、人間にはこのプルーフ画像の色が印刷物の色とは違って見えてしまうという不具合がしばしば発生する。このような不具合が発生した場合には、プルーフ画像の色が印刷物の色に近づくように画像再現システムに対して修正作業を行なわなければならないが、従来のこのような修正作業は、例えば熟練者の経験等に頼った試行錯誤による困難な作業である。
【０００６】
本発明は、上記事情に鑑み、所定の画像再現システムによって作成されるプルーフ画像の色を簡単に修正することができる色修正装置、および、コンピュータをこの色修正装置として動作させる色修正プログラムを提供することを目的とする。
【課題を解決するための手段】
【０００７】
上記目的を達成する本発明の色修正装置は、網点構造の網点画像を表わす網点画像データに基づいてその網点画像を出力するターゲットシステムからのその網点画像データの入手と、その網点画像データに上記網点構造よりも微細な単位による等色変換を施すことによるその網点画像データの、所定の再現色空間で色を定義して上記網点画像を表わす変換網点画像データへの変換と、その変換網点画像データに基いた上記網点画像の再現とを行なう画像再現システムに対して、この画像再現システムで再現される再現網点画像の色が、上記ターゲットシステムから出力される網点画像の色に近づくような色修正を組み込む色修正装置において、
一連の色を有する一連のカラーパッチからなるカラーチャート画像が網点で表現された、上記ターゲットシステムから出力された網点チャート画像が測色されて得られる第１の測色値を入手する第１の測色値入手部と、
上記画像再現システムによって上記網点チャート画像が再現された再現網点チャート画像が測色されて得られる第２の測色値を入手する第２の測色値入手部と、
上記第１の測色値と上記第２の測色値との差を上記等色変換の前又は後におけるデータ差に換算し、そのデータ差と上記等色変換前のデータ値との対応を表わす対応テーブルを作成するテーブル作成部と、
上記対応テーブルに基づいた色修正を上記画像再現システムに組み込む色修正部とを備えたことを特徴とする。
【０００８】
本発明の色修正装置によれば、上記画像再現システムによって再現される再現網点画像と、上記ターゲットシステムによって作成される網点画像との間における、両者を人間が見たときの色の差異が、上記再現網点チャート画像および上記網点チャート画像に対する測色値から求められる。さらに、上記データ差と上記等色変換前のデータ値との対応、すなわち上記ターゲットシステムに依存する色空間における様々な色と、上記の色の差異との対応が上記対応テーブルとして作成される。この対応テーブルによれば、所望の網点画像の色と、その網点画像に対応する再現網点画像の色との差異が、その網点画像を表す網点画像データから簡単に予測でき、その予測に基づいた色修正が可能となる。つまり、本発明の色修正装置によれば、所定の画像再現システムによって作成される再現網点画像（プルーフ画像）の色を簡単に修正することができる。
【０００９】
また、本発明の色修正装置において、「上記画像再現システムが、上記網点画像データが表わす網点画像を平滑化して平滑画像を得るデスクリーニング処理部と、
上記デスクリーニング処理部によって得られた平滑画像を表わすデータ値と上記対応テーブルとに基づいて色修正量を求める修正量算出部とを備えたものであり、
上記色修正部が、上記修正量算出部に上記対応テーブルを組み込むことにより、上記画像再現システムに色修正を組み込むものである」という形態は好ましい形態である。
【００１０】
この好ましい形態の色修正装置によれば、上記デスクリーニング処理部によって、上記網点画像を、人間がマクロに認識する画像に近い平滑画像を容易に変換することができる。また、この平滑画像を表わすデータ値は、この平滑画像が上記網点画像から求められることから、上記対応テーブルにおいて上記データ差に対応付けられている上記等色変換前のデータ値に相当する。つまり、この平滑画像を表わすデータ値を用いれば、上記対応テーブルから上記修正量を容易に求めることができる。つまり、この好ましい形態の色修正装置によれば、上記対応テーブルに基づいた色修正を容易に実現することができる。
【００１１】
また、本発明の色修正装置において、「上記第２の測色値入手部および上記テーブル作成部に対し、上記対応テーブルを用いた色修正が組み込まれた画像再現システムを前提として再度の処理を実行させる再処理制御部を備え、
上記テーブル作成部が、上記再度の処理が実行された場合には、その再度の処理で入手された第１の測色値と第２の測色値とに基づいた修正を既に作成済の対応テーブルに施すものであり、
上記対応テーブルを、作成および修正の度に保存するテーブル保存部と、
上記テーブル保存部に保存された対応テーブルの中から１つの対応テーブルを選択し、選択した対応テーブルに基づいた色修正を最終的な色修正として上記画像再現システムに組み込むテーブル選択部とを備えた」という形態も好ましい形態である。
【００１２】
この好ましい形態の色修正装置によれば、上記再度の処理を実行することによって、上記画像再現システムに組み込まれている色修正の精度を高めることができる。また、上記再度の処理を繰返し実行すると、一般に、色修正の精度は単調に高まるが、ある程度以上に高精度では精度が収束し難くなることが経験的にわかっている。このような場合、上記の好ましい形態の色修正装置によれば、複数回の処理で得られた、互いに精度が微妙に異なる様々な色修正それぞれに対応する対応テーブルを上記テーブル保存部に保存しておき、それらの中から最も精度の高い色修正に対応する対応テーブルを選択する等といった運用を実行することができる。
【００１３】
また、本発明の色修正装置において、「上記テーブル作成部が、重み係数によって重み付けされたデータ差と上記等色変換前のデータ値との対応を表わす対応テーブルを作成するものである」という形態も好ましい。
【００１４】
この好ましい形態の色修正装置によれば、例えば、上記画像再現システムによって出力される画像の色が上記ターゲットシステムによって出力される画像の色から大幅にずれている場合には大きな重み係数を用いて大幅に色を修正する色修正を画像再現システムに組み込み、両者の色があまりずれていない場合には小さな重み係数用いて色の微調整を行なう色修正を画像再現システムに組み込む等というように、色を修正する程度が上記重み係数によって適宜に調整された対応テーブルを作成し、色修正の精度を高めることができる。
【００１５】
ここで、この好ましい形態の色修正装置は、「上記色修正部が、上記重み係数として、上記再現網点チャート画像の色と上記網点チャート画像の色との色差に応じた重み係数を用いるものである」という形態であっても良く、あるいは、
「上記色修正部が、上記重み係数として、設定された重み係数を用いるものである」という形態であっても良い。
【００１６】
前者の形態によれば、画像再現システムに組み込む色修正における、色を修正する程度を自動的に変えることができ、後者の形態によれば、修正の程度を例えばオペレータによる設定操作によって変えることができる。
【００１７】
また、上記目的を達成する本発明の色修正プログラムは、コンピュータに組み込まれ、そのコンピュータを、網点構造の網点画像を表わす網点画像データに基づいてその網点画像を出力するターゲットシステムからのその網点画像データの入手と、その網点画像データに上記網点構造よりも微細な単位による等色変換を施すことによるその網点画像データの、所定の再現色空間で色を定義して上記網点画像を表わす変換網点画像データへの変換と、その変換網点画像データに基いた上記網点画像の再現とを行なう画像再現システムに対して、この画像再現システムで再現される再現網点画像の色が、上記ターゲットシステムから出力される網点画像の色に近づくような色修正を組み込む色修正装置において、
一連の色を有する一連のカラーパッチからなるカラーチャート画像が網点で表現された、上記ターゲットシステムから出力された網点チャート画像が測色されて得られる第１の測色値を入手する第１の測色値入手部と、
上記画像再現システムによって上記網点チャート画像が再現された再現網点チャート画像が測色されて得られる第２の測色値を入手する第２の測色値入手部と、
上記第１の測色値と上記第２の測色値との差を上記等色変換の前又は後におけるデータ差に換算し、そのデータ差と上記等色変換前のデータ値との対応を表わす対応テーブルを作成するテーブル作成部と、
上記対応テーブルに基づいた色修正を上記画像再現システムに組み込む色修正部とを構築することを特徴とする。
【００１８】
本発明の色修正プログラムによれば、本発明の色修正装置を容易に実現することができる。
【００１９】
なお、本発明にいう色修正プログラムについては、ここではその基本形態のみを示すのにとどめるが、これは単に重複を避けるためであり、本発明にいう色修正プログラムには、上記の基本形態のみではなく、前述した色修正装置の各形態に対応する各種の形態が含まれる。
【発明の効果】
【００２０】
以上、説明したように、本発明によれば、所定の画像再現システムによって作成されるプルーフ画像の色を簡単に修正することができる色修正装置、および、コンピュータをこの色修正装置として動作させる色修正プログラムを提供することができる。
【発明を実施するための最良の形態】
【００２１】
以下図面を参照して本発明の実施の形態を説明する。
【００２２】
図１は、本発明の一実施形態が適用される印刷−プルーフシステムの全体構成図である。
【００２３】
カラースキャナ１０では、原稿画像１１が読み取られて、その読み取られた原稿画像１１を表わすＣ（シアン）、Ｍ（マゼンタ）、Ｙ（イエロー）、およびＫ（ブラック）の４色の色分解画像データが生成される。このＣＭＹＫの画像データはワークステーション２０に入力される。ワークステーション２０では、オペレータによって、入力された画像データに基づく電子的な集版が行なわれ、印刷用の画像を表わす画像データが生成される。      
【００２４】
ここで、ワークステーション２０から印刷機４０に至るターゲットシステム３００によって作成される印刷物の色は、フィルムプリンタ３０や印刷機４０の特性の影響をうける。つまり、この画像データでは、ターゲットシステム３００に依存したＣＭＹＫ色空間（以後、ターゲット色空間と呼ぶ）で色が定義されている。
【００２５】
この印刷用の画像を表わす画像データは、いわゆるＰＤＬ（Ｐａｇｅ  Ｄｅｓｃｒｉｐｔｉｏｎ  Ｌａｎｇｕａｇｅ）で記述された記述言語データである。ワークステーション２０では、この画像データが、いわゆるＲＩＰ（Ｒａｓｔｅｒ  Ｉｍａｇｅ  Ｐｒｏｃｅｓｓｏｒ）により網点化されて、ＣＭＹＫ４色の網点構造を表わす網点画像データが作成される。この段階では、画像は、これらＣＭＹＫ４色の網点構造の重ね合わせで表わされることとなる。また、網点画像データでは、網点構造における網点部分の画素値が「１」とされ、非網点部分の画素値が「０」とされて、「０」と「１」の２階調で画像が表わされている。
【００２６】
この網点画像データは、印刷を行なう場合は、フィルムプリンタ３０に入力され、フィルムプリンタ３０では、その入力された網点画像データに対応した、ＣＭＹＫ各版からなる印刷用フィルム原版が作成される。この印刷用フィルム原版からは刷版が作成され、その刷版が印刷機４０に装着される。そして、刷版にインクが塗布され、その塗布されたインクが印刷用の用紙上に転移されてその用紙上に印刷画像４１が形成される。上述したように、後日に刷版を確実に再現するためには、刷版作成の元となる網点画像データを保存することが望ましい。図１に示す印刷−プルーフシステムでは、この網点画像データが保存される。
【００２７】
ここで、フィルムプリンタ３０によってこの網点画像データから印刷用フィルム原版を作成し、さらに刷版を作成して印刷機４０に装着し、その刷版にインクを塗布して用紙上に印刷を行なうという一連の作業は、大掛かりな作業でありコストもかかる。このため、実際の印刷作業を行なう前に、パーソナルコンピュータ８０およびプリンタ６０によってプルーフ画像６１を作成し、印刷画像４１の仕上りの事前確認が行なわれる。
【００２８】
プルーフ画像６１の作成にあたっては、ワークステーション２０から、網点画像を「０」と「１」との２階調で表わした網点画像データがパーソナルコンピュータ８０に入力される。本実施形態では、パーソナルコンピュータ８０において、まず、この網点画像データが、「０」と「１」とのそれぞれが、「０」の網パーセントと「１００」の網パーセントとに単純に置き換えられることにより、ＣＭＹＫ４色それぞれの網パーセントで網点画像を表わした網点画像データに翻訳される。尚、この翻訳方法は、網パーセントへの置き換えに限るものではなく、例えば、「０」と「１」が、それぞれ「０」と「２５５」といった８ビット値に置き換えられる等といった方法であってもよい。
【００２９】
また、最終的にプルーフ画像を出力するプリンタ６０は、上記のターゲットシステム３００に対応した解像度よりも低い解像度で画像を出力するので、上記の翻訳後の網点画像データに、解像度をプリンタ６０の解像度に合わせ込む解像度変換が施される。この解像度変換により、変換前までは、「０」と「１００」との２つの網パーセントのみからなっていた網点画像データが、プリンタ６０の解像度で、その解像度よりも高いターゲットシステム３００の解像度を再現するために、変換後の網点画像データには、「０」と「１００」以外の網パーセントも含まれるようになる。
【００３０】
そして、解像度変換後の網点画像データに、上記のターゲット色空間と、パーソナルコンピュータ８０とプリンタ６０とからなる画像再現システム４００に依存したＣＭＹＫ色空間（以後、出力色空間と呼ぶ）との間の等色関係を定義したデバイスリンクプロファイルを用いた等色変換が施される。この等色変換によって得られた画像データは、変換前の網点画像データが表わしていた網点構造が維持されたまま、色が上記の出力色空間で定義された、ＣＭＹＫ４色それぞれの「０」〜「２５５」の２５６階調のデバイス値からなる網点画像データである。
【００３１】
本実施形態では、以上に説明した一連の処理を経て最終的に得られたプルーフ用の網点画像データ（以後、変換網点画像データと呼ぶ）に後述の修正量が加算され、その修正済みの変換網点画像データ（以後、修正網点画像データと呼ぶ）が、パーソナルコンピュータ８０からプリンタ６０に渡され、この修正網点画像データに基づいて、プリンタ６０から、印刷画像４１が、色も含めて再現されたプルーフ画像６１が出力される。ここで、上記の画像再現システム４００が本発明にいう画像再現システムの一例に相当し、上記の出力色空間が本発明にいう再現色空間の一例に相当する。
【００３２】
ここで、上記の等色変換に使われるデバイスリンクプロファイルおよび上記の修正量は、パーソナルコンピュータ８０において求められる。そして、そのデバイスリンクプロファイルの作成と修正量の算出には、分光測色計７０によって後述のチャート用紙上の画像を測色することによって得られる測色値が用いられる。
【００３３】
図２は、図１にブロックで示す分光測色計およびパーソナルコンピュータの外観斜視図、図３は、そのパーソナルコンピュータのハードウェア構成図である。
【００３４】
図２に示すように、パーソナルコンピュータ８０にケーブル７５で接続された分光測色計７０には、一連の色を有する一連のカラーパッチからなるカラーチャートが形成されたチャート用紙Ｐが乗せられる。分光測色計７０では、このチャート用紙Ｐ上のカラーチャートが測色されて、システムに非依存なＸＹＺ測色色空間で色を定義した測色値が取得され、この測色値がケーブル７５を介してパーソナルコンピュータ８０に送られる。
【００３５】
パーソナルコンピュータ８０は、図２に示すように、外観構成上、本体装置８１、その本体装置８１からの指示に応じて表示画面８２ａ上に画像を表示する画像を表示する画像表示装置８２、キー操作に応じた各種の情報を本体装置８１に入力するキーボード８３、および、表示画面８２ａ上の任意の位置を指定することにより、その位置に表示された、例えばアイコン等に応じた指示を本体装置８１に入力するマウス８４を備えている。また、本体装置８１は、フレキシブルディスク（ＦＤ）を装填するためのＦＤ装填口８１ａ、およびＣＤ−ＲＯＭを装填するためのＣＤ−ＲＯＭ装填口８１ｂを有している。
【００３６】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フレキシブルディスク１００が装填され、その装填されたフレキシブルディスク１００をアクセスするＦＤドライブ８１４、ＣＤ−ＲＯＭ１０１やＣＤ−Ｒが装填され、その装填されたＣＤ−ＲＯＭ１０１等をアクセスするＣＤドライブ８１５、分光測色計７０（図１，図２参照）と接続され、分光測色計７０から測色値を受け取るＩ／Ｏインタフェース８１６が内蔵されており、これらの各種要素、画像表示装置８２、キーボード８３、マウス８４は、バス８５を介して相互に接続されている。
【００３７】
上述したように、このパーソナルコンピュータ８０は、上記のデバイスリンクプロファイルを作成し、そのデバイスリンクプロファイルを使って網点画像データを変換網点画像データに変換し、その変換網点画像データに適宜に修正量を加算して最終的にプリンタ６０に入力する修正網点画像データを作成するという色変換機能と、上記の修正量の算出に用いる後述の修正テーブルを作成してその修正テーブルを上記の色変換機能を果たす構成要素に組み込む色修正機能とを有している。ＣＤ−ＲＯＭ１０１には、このパーソナルコンピュータ８０にこれらの各種機能を発揮させる、本発明の色修正プログラムの一実施形態が組み込まれた色修正機能付色変換プログラムが記憶されており、そのＣＤ−ＲＯＭ１０１に記憶された色修正機能付色変換プログラムがこのパーソナルコンピュータ８０にアップロードされてハードディスク装置８１３に記憶される。そして、この色修正機能付色変換プログラムが実行されることによってパーソナルコンピュータ８０は上記の各種機能を発揮する、本発明の色修正装置の一実施形態が組み込まれた色修正機能付色変換装置として動作する。
【００３８】
続いて、上記の色修正プログラムについて説明する。
【００３９】
図４は、本発明の色修正プログラムの一実施形態が組み込まれた色修正機能付色変換プログラムが記憶されたＣＤ−ＲＯＭを示す概念図である。
【００４０】
図４に示す色修正機能付色変換プログラム２００は、第１の測色値入手部２１１と、第２の測色値入手部２１２と、再処理制御部２１３と、テーブル作成部２１４と、テーブル選択部２１５と、網点画像データ入手部２１６と、デスクリーニング処理部２１７と、修正量算出部２１８と、二値多値変換部２１９と、ガウシアンフィルタ処理部２２０と、解像度変換部２２１と、デバイスリンクプロファイル作成部２２２と、カラーマッチング処理部２２３と、加算部２２４とで構成されている。ここで、第１の測色値入手部２１１と第２の測色値入手部２１２と再処理制御部２１３とテーブル作成部２１４とテーブル選択部２１５とを合せたものが、本発明の色修正プログラムの一実施形態に相当する。
【００４１】
これら色修正機能付色変換プログラム２００の各部の細部については、本発明の色修正装置の一実施形態が組み込まれた色修正機能付色変換装置の各部の作用と併せて後述する。
【００４２】
上述したように図１に示す画像再現システム４００におけるパーソナルコンピュータ８０は、上記の色修正機能付色変換装置として動作する。この色修正機能付色変換装置では、上述のターゲット色空間と上述の出力色空間との間の等色関係を定義したデバイスリンクプロファイルが作成され、上記のターゲットシステム３００から入力される網点画像データにこのデバイスリンクプロファイルを用いた色変換処理が施されて、その網点画像データが、上記の変換網点画像データに変換される。さらに、この変換網点画像データに修正量が加算され上記の修正網点画像データが生成される。
【００４３】
ここで、上記のデバイスリンクプロファイルは、上記のターゲット色空間と上記のＸＹＺ測色色空間との間の等色関係を定義したターゲットプロファイルと、上記の出力色空間とＸＹＺ測色色空間との間の等色関係を定義したプリンタプロファイルとが、ＸＹＺ測色色空間を介して互いに結合されることによって作成される。本実施形態では、デバイスリンクプロファイルの作成に先立って、まず上記のターゲットプロファイルとプリンタプロファイルとが次の手順で用意される。
【００４４】
図１に示すワークステーション２０の図示しない記憶部には、各カラーパッチの色がターゲット色空間で定義されたカラーチャートを、ＣＭＹＫ４色それぞれの網パーセントで表わすチャートデータが格納されている。ターゲットシステム３００では、チャートデータに基づいて、各カラーパッチの色がターゲット色空間で定義されたカラーチャートを網点で表現した網点チャート画像が出力される。ここで、網点チャート画像の出力に際し、オペレータは、ワークステーション２０を操作して、所望の解像度、線数、および網角度からなるスクリーン条件の設定を行う。そして、上記のチャートデータが、上記のカラーチャートをこのスクリーン条件に応じた網点構造で表現した網点チャート画像を表わす網点チャートデータに変換され、この網点チャートデータに基づく網点チャート画像が出力される。そして、このスクリーン条件と網点チャートデータはパーソナルコンピュータ８０に送られ、パーソナルコンピュータ８０内の図示しない記憶部に、互いに対応付けられて記憶される。また、上記の網点チャート画像はオペレータによって分光測色計７０にセットされる。
【００４５】
次に、パーソナルコンピュータ８０に対するオペレータの操作によって、表示画面８２ａ上に分光測色計７０に対して測色を指示する図示しない指示画面が表示される。この指示画面において、上記のターゲットプロファイルを作成するための測色が指示されると、分光測色計７０にセットされた網点チャート画像を構成する各カラーパッチのマクロな色が分光測色計７０によって測色され、ＸＹＺ測色色空間で色を定義した測色値（以降、第１の測色値と呼ぶ）が求められ、図２に示すケーブル７５を介してパーソナルコンピュータ８０に送られる。パーソナルコンピュータ８０では、この測色値に基づいて、所定のプロファイル作成プログラムによってターゲットプロファイルが作成され、そのターゲットプロファイルが、上記の第１の測色値と共にパーソナルコンピュータ８０内の図示しない記憶部に記憶される。
【００４６】
一方、パーソナルコンピュータ８０における上記の図示しない記憶部には、各カラーパッチの色が出力色空間で定義されたカラーチャートを、ＣＭＹＫ４色それぞれの「０」〜「２５５」のデバイス値で表わすプリンタ用チャートデータが格納されている。このプリンタ用チャートデータが直接にプリンタ６０に入力され、プリンタ６０は、プリンタ用チャートデータに基づくコントーンのチャート画像を出力する。そして、このコントーンのチャート画像が、分光測色計７０にセットされる。
【００４７】
次に、上記の指示画面において、上記の出力色空間とＸＹＺ測色色空間との間の等色関係を定義したプリンタプロファイルを作成するための測色が指示されると、分光測色計７０にセットされたコントーンのチャート画像を構成する各カラーパッチが、分光測色計７０によって測色され、ＸＹＺ測色色空間で色を定義した測色値が求められ、図２に示すケーブル７５を介してパーソナルコンピュータ８０に送られる。そして、パーソナルコンピュータ８０において、この測色値に基づいて、上記のプロファイル作成プログラムによってプリンタプロファイルが作成され、そのプリンタプロファイルも上記の図示しない記憶部に記憶される。
【００４８】
以上に説明したように、スクリーン条件、網点チャートデータ、ターゲットプロファイル、第１の測色値、およびプリンタプロファイルが、色修正機能付色変換装置として動作するパーソナルコンピュータ８０内の図示しない記憶部に記憶されると、このパーソナルコンピュータ８０において、上記の色修正機能が、これらのデータおよびプロファイルを用いて機能し始める。
【００４９】
次に、色修正機能付色変換装置として動作している状態にあるパーソナルコンピュータ８０について説明する。ここで、以下では、この状態にあるパーソナルコンピュータ８０を色修正機能付色変換装置と呼び、符合を付して説明する。
【００５０】
図５は、本発明の色修正装置の一実施形態が組み込まれた色修正機能付色変換装置の機能ブロック図である。
【００５１】
図５に示す色修正機能付色変換装置５００は、図１に示す画像再現システム４００によって作成される再現網点画像の色をターゲットシステム３００によって作成される網点画像の色に近づける色修正を行なうものであり、図１に示すパーソナルコンピュータ８０内で、図４に示す色修正機能付色変換プログラム２００が実行されることによって実現されるものである。この色修正機能付色変換装置５００は、第１の測色値入手部５０１と、第２の測色値入手部５０２と、再処理制御部５０３と、テーブル作成部５０４と、テーブル保存部５０５と、テーブル選択部５０６と、網点画像データ入手部５０７と、デスクリーニング処理部５０８と、修正量算出部５０９と、二値多値変換部５１０と、ガウシアンフィルタ処理部５１１と、解像度変換部５１２と、デバイスリンクプロファイル作成部５１３と、カラーマッチング処理部５１４と、加算部５１５とで構成されている。ここで、第１の測色値入手部５０１、第２の測色値入手部５０２、再処理制御部５０３、テーブル作成部５０４、テーブル保存部５０５、およびテーブル選択部５０６を合わせたものが本発明の色修正装置の一実施形態に相当する。また、第１の測色値入手部５０１、第２の測色値入手部５０２、再処理制御部５０３、テーブル作成部５０４、テーブル保存部５０５、テーブル選択部５０６、およびデスクリーニング処理部５０８は、それぞれ本発明にいう第１の測色値入手部、第２の測色値入手部、再処理制御部、テーブル保存部、およびデスクリーニング処理部の各一例に相当する。また、テーブル選択部５０６は、本発明にいう色修正部とテーブル選択部とを兼ねた一例に相当する。
【００５２】
図４に示す色修正機能付色変換プログラム２００を図１〜図３に示すパーソナルコンピュータ８０にインストールすると、色修正機能付色変換プログラム２００の第１の測色値入手部２１１は図５に示す第１の測色値入手部５０１を構築し、同様に、第２の測色値入手部２１２は第２の測色値入手部５０２を構築し、再処理制御部２１３は再処理制御部５０３を構築し、テーブル作成部２１４はテーブル作成部５０４を構築し、テーブル選択部２１５はテーブル選択部５０６を構築し、網点画像データ入手部２１６は網点画像データ入手部５０７を構築し、デスクリーニング処理部２１７はデスクリーニング処理部５０８を構築し、修正量算出部２１８は修正量算出部５０９を構築し、二値多値変換部２１９は二値多値変換部５１０を構築し、ガウシアンフィルタ処理部２２０はガウシアンフィルタ処理部５１１を構築し、解像度変換部２２１は解像度変換部５１２を構築し、デバイスリンクプロファイル作成部２２２はデバイスリンクプロファイル作成部５１３を構築し、カラーマッチング処理部２２３はカラーマッチング処理部５１４を構築し、加算部２２４は加算部５１５を構築する。
【００５３】
上記の第１の測色値入手部５０１では、上記のパーソナルコンピュータ８０内の図示しない記憶部から第１の測色値Ｄ１が入手される。
【００５４】
また、第２の測色値入手部５０２では、上記の図示しない記憶部から後述の第２の測色値Ｄ２が入手される。
【００５５】
再処理制御部５０３では、上記の第１の測色値Ｄ１と第２の測色値Ｄ２とから色修正機能付色変換装置５００で行なわれた色修正の精度が確認されるとともに、色修正機能付色変換装置５００の各要素に対して、後述の再度の処理の実行が指示される。
【００５６】
テーブル作成部５０４では、まず、第１の測色値Ｄ１と第２の測色値Ｄ２との差が上記の等色変換後の「０」〜「２５５」の８ビット値からなるデータ差に換算され、さらにこのデータ差に後述の重み係数が乗算されて等色変換前の「０」〜「１００」の網パーセントからなるデータ値に対応する修正量が算出される。本実施形態では、この修正量は、プリンタ６０におけるＣＭＹＫ４色の色材の塗布量に対する修正量である。そして、この修正量と上記のターゲット色空間の座標との対応を表わす修正テーブルが作成される。この修正テーブルが、本発明にいう対応テーブルの一例に相当する。また、上記の再処理制御部５０３から再度の処理を指示されたときにには、この修正テーブルに対する修正も実行される。
【００５７】
テーブル保存部５０５には、テーブル作成部５０４で作成された修正テーブルが保存される。また、テーブル作成部５０４において、上記の再度の処理に応じて修正テーブルに対する修正が複数回実行されたときには、各回の修正で求められた修正済の修正テーブルも保存される。
【００５８】
テーブル選択部５０６では、テーブル保存部５０５に保存された複数の修正テーブルの中から、オペレータの操作によって１つの修正テーブルが選択され、修正量算出部５０９に入力される。
【００５９】
網点画像データ入手部５０７では、図１に示すターゲットシステム３００から渡され、上記の図示しない記憶部に記憶されている、画像再現システム４００で再現すべき網点画像を表わす網点画像データＤ４や、修正テーブルを作成する際に用いられる網点チャートデータＤ３が入手される。
【００６０】
デスクリーニング処理部５０８では、網点画像データ入手部５０７から渡される網点画像データＤ４や、網点チャートデータＤ３に対して、これらのデータを、これらのデータが表わす網点画像や網点チャート画像が平滑化された平滑画像を表わす平滑画像データに変換するデスクリーニング処理が施される。ここで、本実施形態では、このデスクリーニング処理で得られる平滑画像データは、上記のターゲット色空間の座標からなる、「０」〜「１００」の網パーセントからなる画像データである。
【００６１】
修正量算出部５０９では、上記の平滑画像データと上記の修正テーブルとに基づいて「０」〜「２５５」の８ビット値からなる修正量が算出される。
【００６２】
二値多値変換部５１０では、網点画像データ入手部５０７から渡される網点画像データＤ４や、網点チャートデータＤ３に対して、「０」と「１」との２値で表現される２値データを、「０」〜「１００」の網パーセントのうちの「０」と「１００」との網パーセントで表現される多値データに置き換えられる二値多値変換処理が施される。
【００６３】
ガウシアンフィルタ処理部５１１では、二値多値変換部５１０から渡される「０」と「１００」との網パーセントで表現される多値データに対して、このような多値データを「０」と「１００」との間の中間値も含めた多値データにガウシアンフィルタを用いて変換するガウシアンフィルタ処理が施される。
【００６４】
解像度変換部５１２では、ガウシアンフィルタ処理部５１１から渡される多値データに対して、次のような解像度変換処理が施される。この解像度変換部５１２に入力される多値データが表わす網点画像あるいは網点チャート画像の解像度は上記のターゲットシステム３００に対応した解像度となっている。そこで、この解像度変換部５１２では、この多値データが、画像再現システム４００に対応した解像度の網点画像あるいは網点チャート画像を表わす多値データに変換される。
【００６５】
デバイスリンクプロファイル作成部５１３では、上記のパーソナルコンピュータ８０内の図示しない記憶部からターゲットプロファイルＴＧとプリンタプロファイルＰＰが読み出され、これらのプロファイルが結合されることによってデバイスリンクプロファイルＤＰが作成される。作成されたデバイスリンクプロファイルＤＰは、カラーマッチング処理部５１４に渡される。
【００６６】
カラーマッチング処理部５１４では、解像度変換部５１２から渡された、上記の網点画像データＤ４あるいは網点チャートデータＤ３に対応する「０」〜「１００」の網パーセントからなる多値データが、上記のデバイスリンクプロファイルＤＰを用いて上記の出力色空間の座標で色を定義して網点画像あるいは網点チャート画像を表わす、プリンタ６０の色材の塗布量を示す「０」〜「２５５」の８ビット値からなる変換網点画像データあるいは変換網点チャートデータに変換される。
【００６７】
加算部５１５では、カラーマッチング処理部５１４で求められる変換網点画像データあるいは変換網点チャートデータに、それぞれのデータに対応して修正量算出部５０９で算出された修正量が加算されて、修正網点画像データＤ５あるいは修正網点チャートデータＤ６が作成される。これらの修正網点画像データＤ５あるいは修正網点チャートデータＤ６が図１に示すプリンタ６０に入力され、それぞれのデータに基づいた網点画像あるいは網点チャート画像が出力される。
【００６８】
次に、図５の色修正機能付色変換装置５００で実行される色修正の詳細について説明する。ここで、以下の説明では、図５に示す構成要素を、特に図番を断らずに参照する。
【００６９】
ここで、この色修正は、上記のパーソナルコンピュータ８０内の図示しない記憶部に上記のスクリーン条件、網点チャートデータ、ターゲットプロファイル、第１の測色値Ｄ１、およびプリンタプロファイルが記憶され、以下に示す操作画面に対するオペレータの操作によって色修正の実行が指示されるとスタートする。
【００７０】
図６は、色修正に対する操作画面を示す図である。
【００７１】
図６に示す操作画面６００には、上記の図示しない記憶部に記憶されているターゲットプロファイル、プリンタプロファイル、およびスクリーン条件それぞれを指定する、ターゲットプロファイル指定部６０１、プリンタプロファイル指定部６０２、およびスクリーン条件指定部６０３が備えられている。また、この操作画面６００には、これらの指定部の他にも、重み係数の設定を行なう重み係数設定部６０４と、各種処理の実行を指示する実行指示部６０５とが備えられている。
【００７２】
ターゲットプロファイル指定部６０１は、表示部６０１ａと選択部６０１ｂとを有している。オペレータが選択部６０１ｂを操作すると図示しないメニューに上記の記憶部に記憶されているターゲットプロファイルのファイル名が全て表示される。オペレータが所望のターゲットプロファイルを示すファイル名にカーソルを合せることにより、そのターゲットプロファイルが選択される。そして、選択されたターゲットプロファイルを示すファイル名が表示部６０１ａに表示される。
【００７３】
プリンタプロファイル指定部６０２は、表示部６０２ａと選択部６０２ｂとを有している。このプリンタプロファイル指定部６０２でも、上記のターゲットプロファイル指定部６０１に対する操作と同様な操作によってプリンタプロファイルが選択され、選択されたプリンタプロファイルを示すファイル名が表示部６０２ａに表示される。
【００７４】
スクリーン条件指定部６０３は、表示部６０３ａ、登録部６０３ｂ、および削除部６０３ｃを有している。表示部６０３ａには上記の記憶部に記憶されているスクリーン条件が、各スクリーン条件をなす解像度、線数、および網確度が、各スクリーン条件に付されたスクリーン名とともに表示される。そして、この表示部６０３ａにおいて、所望のスクリーン条件に対応するスクリーン名にカーソルが合せられると、そのスクリーン条件が選択される。また、このスクリーン条件指定部６０３では、表示部６０３ａに直接に解像度、線数、網確度、およびスクリーン名を入力し、登録部６０３ｂを操作することにより、新たなスクリーン条件を登録することもできるし、あるいは、スクリーン条件を選択し、削除部６０３ｃを選択することにより、そのスクリーン条件を上記の記憶部から削除することもできる。
【００７５】
重み係数設定部６０４は、「０」〜「１．０」の間で重み係数を設定するスライドバーであり、スライドバーにおいて所望の位置にカーソルを合せることによって重み係数が設定される。
【００７６】
実行指示部６０５は、チャート出力指示部６０５ａ、測定指示部６０５ｂ、修正テーブル作成指示部６０５ｃ、精度表示部６０５ｄ、および色修正実行指示部６０５ｅを有している。チャート出力指示部６０５ａが操作されると、上記のスクリーン条件指定部６０３で指定されたスクリーン条件に対応付けられて記憶されている網点チャートデータが読み出され、図１に示す画像再現デバイス４００からこの網点チャートデータに基づく再現網点チャート画像が出力される。また、測定指示部６０５ｂが操作されると、後述の測定用サブ画面が表示され、この測定用サブ画面において、図２に示す分光測色計７０にこの時点にセットされているチャート画像に対する測色が指示される。また、修正テーブル作成指示部６０５ｃが操作されると、上記のターゲットプロファイル指定部６０１で指定されたターゲットプロファイルと、上記のプリンタプロファイル指定部６０２で指定されたプリンタプロファイルとが読み出され、これらのプロファイルを用いた後述の修正テーブル作成処理が実行される。また、精度表示部６０５ｄが操作されると、後述の精度表示用サブ画面が表示され、この時点での測色で得られた測色値と、上記の記憶部に記憶されている第１の測色値Ｄ１とから、色修正機能付色変換装置５００で実行される色修正のこの時点での精度が表示される。また、色修正実行指示部６０５ｅが操作されると、上記のターゲットプロファイル指定部６０１で指定されたターゲットプロファイルと、上記のプリンタプロファイル指定部６０２で指定されたプリンタプロファイルと、上記の修正テーブル作成処理で作成された修正テーブルとを用いた色修正が実行される。
【００７７】
以下では、まず、上記の修正テーブル作成処理について説明する。
【００７８】
図７は、修正テーブル作成処理を示すフローチャートを示す図である。
【００７９】
この図７のフローチャートが示す修正テーブル作成処理は、図６に示す操作画面６００において、ターゲットプロファイル、プリンタプロファイル、およびスクリーン条件が選択され、さらに修正テーブル作成指示部６０５ｃが操作されるとスタートする。尚、以下の説明では、図５および図６の構成要素を特に図番を断らずに参照する。
【００８０】
この処理がスタートすると、まず、選択されたターゲットプロファイル、プリンタプロファイル、およびスクリーン条件が入手される（ステップＳ１０１）。そして、入手されたターゲットプロファイルとプリンタプロファイルとを用いて、上記のデバイスリンクプロファイル作成部５１３によってデバイスリンクプロファイルが作成される（ステップＳ１０２）。このデバイスリンクプロファイルの作成が終了すると、操作画面６００上に、再現網点チャート画像の出力を促すメッセージが表示され、オペレータがこのメッセージに応じて、上記のチャート出力指示部６０５ａを操作すると、選択されたスクリーン条件に対応する網点チャートデータに基づく再現網点チャート画像が、図１に示す画像再現システム４００から出力される（ステップＳ１０３）。
【００８１】
ここで、この再現網点チャート画像の出力処理（ステップＳ１０３）の詳細について、図５を参照して説明する。
【００８２】
この再現網点チャート画像の出力処理（ステップＳ１０３）では、色修正機能付色変換装置５００において次の動作が実行される。まず、上記のスクリーン条件に対応する網点チャートデータ（図５では符号「Ｄ３」が付されている）が網点画像データ５０７に入手される。この網点チャートデータは、デスクリーニング処理部５０８および二値多値変換部５１０に渡される。デスクリーニング処理部５０８に渡された網点チャートデータには、上記のデスクリーニング処理が施され、上記のターゲット色空間の座標からなる平滑画像データに変換される。そして、後述するように複数回繰り返される可能性があるこの再現網点チャート画像の出力処理（ステップＳ１０３）が、初回の処理である場合には、修正量算出部５０９にデフォルトの修正テーブルがセットされ、このデフォルトの修正テーブルと上記の平滑画像データとに基づいて修正量算出部５０９によってデフォルトの修正量が算出される。また、再現網点チャート画像の出力処理（ステップＳ１０３）が、２回目以降の処理である場合には、その回に応じた修正テーブルが修正量算出部５０９にセットされ、そのデフォルトの修正テーブルと上記の平滑画像データとに基づいた修正量が算出される。
【００８３】
ここで、本実施形態では、上記のデフォルトの修正テーブルは、このデフォルトの修正テーブルを用いた修正が無修正となるような修正テーブルであり、この修正テーブルにおける修正量は全て「０」となっている。即ち、デフォルトの修正テーブルがセットされた修正量算出部５０９で算出される修正量は全て「０」となる。
【００８４】
一方、二値多値変換部５１０に渡された網点チャートデータには、二値多値変換部５１０〜解像度変換部５１２に至る各要素における処理が施され、この網点チャートデータが、図１に示す画像再現システム４００に応じた解像度の網点構造を有する網点チャート画像を表わす、「０」〜「２５５」の多値の網点チャートデータに変換される。さらに、この多値の網点チャートデータに、上記のステップＳ１０２の処理で作成されたデバイスリンクプロファイルを用いた等色変換がカラーマッチング処理部５１４によって施されて、この網点チャートデータが、出力色空間の座標で色を定義して網点チャート画像を表わす変換網点チャートデータに変換される。
【００８５】
そして、再現網点チャート画像の出力処理（ステップＳ１０３）が初回の処理である場合には、加算部５１５によって、この変換網点チャートデータに上記のデフォルトの修正量が加算され、デフォルトの修正網点チャートデータが生成される。また、再現網点チャート画像の出力処理（ステップＳ１０３）が２回目以降の処理である場合には、変換網点チャートデータにその回に求められた修正量が加算部５１５によって加算され、修正網点チャートデータが生成される。このデフォルトの修正網点チャートデータあるいは修正網点チャートデータが図１に示すプリンタ６０に入力されて、デフォルトあるいはその回の再現網点チャート画像が出力される。
【００８６】
再び図７に戻って説明を続ける。
【００８７】
再現網点チャート画像の出力処理（ステップＳ１０３）で出力されると、操作画面６００に再現網点チャート画像を図２示す分光測色計７０で測色するように促すメッセージが表示され、オペレータが再現網点チャート画像を分光測色計７０にセットし、さらに、操作画面６００の測定指示部６０５ｂが操作されると、次の測定用サブ画面が表示され分光測色計７０による測色処理が実行される。
【００８８】
図８は、測定用サブ画面を示す図である。
【００８９】
この図８に示す測定用サブ画面６５０には、測色に使用する分光測色計７０の機種を指定する測定器指定部６５１と、測色結果を、測色値に基づくチャート画像で表示するチャート表示画面６５２と、測色開始を指示する開始指示部６５３と、測色結果の保存を指示するデータ保存指示部６５４とが備えられている。
【００９０】
測定器指定部６５１で、現在接続されている分光測色計７０の機種が指定され、開始指示部６５３が操作されると、分光測色計７０にセットされた再現網点チャート画像が測色される。測色が終了すると、チャート表示画面６５２に測色値に基づくチャート画像が表示され、そして、データ保存指示部６５４が操作されると、この測色で得られる測色値が、図示しない記憶部に記憶される。この測色値が、後述するように第２の測色値入手部５０２で入手される第２の測色値Ｄ２である。
【００９１】
再び図７に戻って説明を続ける。
【００９２】
ステップＳ１０４の処理によって上記の第２の測色値Ｄ２が求められると、次に、操作画面６００上に、現段階における色修正機能付色変換装置５００で実行される色修正の精度の確認を促すメッセージが表示され、そのメッセージに応じた精度の確認が実行される（ステップＳ１０５）。この確認結果は、次の精度表示用サブ画面に表示される。
【００９３】
図９は、精度表示用サブ画面を示す図である。
【００９４】
この図９に示す精度表示用サブ画面６６０には、色修正の精度として、上記の第２の測色値Ｄ２と、上記の第１の測色値Ｄ１とから求められる、再現網点チャート画像の各カラーパッチの色と網点チャート画像の各カラーパッチの色との色差の平均値と最大値とが表示される精度表示部６６１と、表示された精度がオペレータにとって満足できるものであった場合に、色修正に用いられた修正テーブルを確定する確定部６６２と、反対に精度がオペレータにとって満足できるものではなかった場合に、後述するようにステップＳ１０３〜ステップＳ１０８に至る処理の繰返しを指示する継続指示部６６３とが備えられている。
【００９５】
本実施形態では、オペレータはこの精度表示用サブ画面６６０の精度表示部６６１に示されている色差の平均値に基づいて修正テーブルを確定するか処理を継続するかの判断を行なう。
【００９６】
再び図７に戻って説明を続ける。
【００９７】
ステップＳ１０５の処理が終了し、精度表示用サブ画面６６０の精度表示部６６１に精度が表示されると、この精度表示用サブ画面６６０に、修正テーブルを確定するか処理を継続するかの判断を、上記の色差の平均値が所定の閾値ａよりも小さいか否かで行なうように促すメッセージが示され、このメッセージに応じた判断が行なわれる（ステップＳ１０６）。ここで、上記の色差の平均値が所定の閾値ａよりも小さい場合（ステップＳ１０６の処理におけるＹｅｓ判定）には、オペレータによって精度表示用サブ画面６６０の確定部６６２が操作され（ステップＳ１０９）、確定された修正テーブルがテーブル保存部５０５に保存されて（ステップＳ１１０）、この修正テーブル作成処理が終了される。ここで、ステップＳ１１０の処理では、修正テーブルは、この修正テーブルの作成に使用されたターゲットプロファイルおよびプリンタプロファイルに対応付けられて保存される。
【００９８】
一方、上記の色差の平均値が所定の閾値ａ以上である場合（ステップＳ１０６の処理におけるＮｏ判定）には、オペレータによって精度表示用サブ画面６６０の継続部６６３が操作され（ステップＳ１０９）、次の修正テーブル作成処理（ステップＳ１０７）が実行される。
【００９９】
尚、上記の説明では、上記の閾値ａがどのように設定される値であるかについては特に触れていないが、この閾値ａは、例えば、図示しない記憶部に予め記憶させておいた固定値を読み出すことによって設定される値であっても良く、あるいは、上記の表示画面８２ａ上に表示される図示しない設定画面をユーザが操作することによって設定される値であっても良い。
【０１００】
図１０は、図７に示す修正テーブル作成処理を示すフローチャートである。
【０１０１】
この図１０のフローチャートが示す修正テーブル作成処理がスタートされると、まず、網点チャート画像の測色によって得られた、ＸＹＺ測色色空間で色を定義した上記の第１の測色値Ｄ１が、上記のプリンタプロファイルを用いた換算によってＣＭＹＫ４色の出力色空間の座標に換算される（ステップＳ１０７＿１）。また、再現網点チャート画像の測色によって得られた、上記の第２の測色値Ｄ２が、第１の測色値Ｄ１と同様に、プリンタプロファイルを用いた換算によってＣＭＹＫ４色の出力色空間の座標に換算される（ステップＳ１０７＿２）。そして、第１の測色値Ｄ１に対応するＣＭＹＫ４色の座標と、第２の測色値Ｄ２に対応するＣＭＹＫ４色の座標との座標差が各カラーパッチについて算出され、これらの座標差に、図６に示す操作画面６００の重み係数設定部６０４で設定された重み係数が乗算されて修正量が算出される（ステップＳ１０７＿３）。
【０１０２】
ここで、網点チャート画像および再現網点チャート画像を構成する一連のカラーパッチの色は、カラーマッチング処理部５１４で実行される等色変換で扱われる色に比べて種類が少ない。そこで、各カラーパッチの色について算出された修正量から、不足している色に対応する修正量を求める補間計算が実行される（ステップＳ１０７＿４）。そして、最後に、上記の等色変換で扱われる各色について求められた修正量が、それら各色を表わす上記のターゲット色空間の座標に対応付けられることにより修正テーブルが作成される（ステップＳ１０７＿５）。
【０１０３】
続いて、今回の修正テーブルの作成処理が初回の処理であるか否かが判定される（ステップＳ１０７＿６）。そして、この処理が初回の処理である場合（ステップＳ１０７＿６の処理におけるＹｅｓ判定）には、ステップＳ１０７＿５の処理で作成された修正テーブルにおける修正量が上記のデフォルトの修正テーブルにおける修正量に加算されることにより、初回の修正テーブルが作成される（ステップＳ１０７＿７）。一方、この処理が２回目以降の処理である場合（ステップＳ１０７＿６の処理におけるＮｏ判定）には、ステップＳ１０７＿５の処理で作成された修正テーブルにおける修正量が、前回の修正テーブルの作成処理で作成された前回の修正テーブルにおける修正量に加算される（ステップＳ１０７＿８）。２回目以降の修正テーブルは、このステップＳ１０７＿８の処理で前回の修正テーブルが修正されることによって作成される。
【０１０４】
ここで、本実施形態では、今回の修正テーブル作成処理が初回である場合には、上記のステップＳ１０７＿３の処理で用いられる重み係数として１．０が設定され、修正テーブル作成処理が繰り返され、作成される修正テーブルを用いた色修正の精度が高まるにつれ上記の重み係数は０に近づけられる。これにより、微調整された修正テーブルを作成することができる。
【０１０５】
再び図７に戻って説明を続ける。
【０１０６】
上記の修正テーブル作成処理（ステップＳ１０７）によって修正テーブルが作成されると、その修正テーブルがテーブル保存部５０５に保存され、さらにテーブル選択部５０６によって修正量算出部５０９にセットされ（ステップＳ１０８）、その後、ステップＳ１０３の前まで戻る。ステップＳ１０３〜ステップＳ１０５の処理と、ステップＳ１０７とステップＳ１０８の処理は、ステップＳ１０６の処理において色差の平均値が閾値ａを下回るまで繰り返される。これにより、修正量算出部５０９にセットされ、色修正に用いられる修正テーブルの精度延いては色修正の精度が高められる。また、色修正の精度がある程度以上に高められると、色修正の精度が収束し難くなることがある。本実施形態では、その場合には、上記の条件に合致する修正テーブルを幾つか求めてテーブル保存部５０５に保存しておき、テーブル選択部５０６によってそれらの修正テーブルの中から１つの修正テーブルを選択して修正量算出部５０９にセットするという運用を行なうことができる。
【０１０７】
次に、デバイスリンクプロファイルを作成し、そのデバイスリンクプロファイルを使って網点画像データを変換網点画像データに変換し、さらに、上記の修正テーブルを用いて修正量を算出し、その修正量を変換網点画像データに加算して最終的にプリンタ６０に入力する修正網点画像データを作成するという色変換処理について説明する。
【０１０８】
図１１は、色変換処理を示すフローチャートである。
【０１０９】
この図１１のフローチャートが示す色変換処理は、図６に示す操作画面６００の色修正実行指示部６０５ｅが操作されるとスタートする。
【０１１０】
まず、図６に示す操作画面６００で選択されたターゲットプロファイルとプリンタプロファイルとが入手される（ステップＳ２０１）。そして、入手されたターゲットプロファイルおよびプリンタプロファイルに対応付けられて保存されている修正テーブルが、テーブル保存５０６内にあるか否か検索される（ステップＳ２０２）。そして、検索結果が判定され（ステップＳ２０３）、検索結果が修正テーブルの存在を示すものであった場合（ステップＳ２０３におけるＹｅｓ判定）には、その修正テーブルが修正量算出部５０９にセットされる（ステップＳ２０４）。一方、検索結果が修正テーブルが無いことを示すものであった場合（ステップＳ２０３におけるＮｏ判定）には、デフォルトの修正テーブルが修正量算出部５０９にセットされる（ステップＳ２０５）。次に、デバイスリンクプロファイル作成部５１３において、ステップＳ２０１の処理で入手されたターゲットプロファイルとプリンタプロファイルからデバイスリンクプロファイルが作成され、カラーマッチング処理部５１４にセットされる（ステップＳ２０６）。
【０１１１】
ここまでの処理で、修正テーブルが修正量算出部５０９にセットされ、デバイスリンクプロファイルがカラーマッチング処理部５１４にセットされると、図１に示す画像再現システム４００で再現する網点画像を表わす網点画像データが網点画像データ入手部５０７に入手され、デスクリーニング処理部５０８および二値多値変換部５１０に送られる（ステップＳ２０７）。デスクリーニング処理部５０８に送られ網点画像データは、デスクリーニング処理部５０８でデスクリーニング処理を施されて、上記のターゲット色空間の座標からなる平滑画像データに変換される（ステップＳ２０８）。続いて、修正量算出部５０９において、この平滑画像データをなすターゲット色空間の座標と上記の修正テーブルとが対比されて、各座標に対応する修正量が算出される（ステップＳ２０９）。一方、二値多値変換部５１０に送られた網点画像データは、二値多値変換部５１０〜カラーマッチング処理部５１４に至る各要素における処理が施され、この網点チャートデータが、出力色空間の座標で色を定義して網点チャート画像を表わす変換網点チャートデータに変換される（ステップＳ２１０）。そして、この変換網点チャートデータに、ステップＳ２０９で算出された修正量が加算されて修正網点画像データが生成され（ステップＳ２１１）、この修正網点画像データに基づく再現網点画像が、図１に示すプリンタ６０から出力されて（ステップＳ２１２）、このフローチャートが示す色修正が終了される。
【０１１２】
以上、図１〜図１１を参照して説明した本実施形態の色修正機能付色変換装置５００によれば、オペレータは、図６、図８、および図９に示す操作画面を、熟練者の経験等に非依存で、単純に操作したり、ターゲットシステム３００や画像再現システム４００から出力されるチャート画像を機械的に測色したりするだけで、再現網点画像（プルーフ画像）の色を網点画像（印刷物）に近づけるための色修正を簡単に実行することができる。
【０１１３】
尚、上記の説明では、本発明にいうテーブル作成部の一例として、第１の測色値Ｄ１と第２の測色値Ｄ２との差を出力色空間における座標差に換算して、この座標差から修正テーブルを作成するテーブル作成部５０４を例示したが、本発明のテーブル作成部はこれに限るものではなく、例えば、第１の測色値Ｄ１と第２の測色値Ｄ２との差をターゲット色空間における座標差に換算するもの等であっても良い。
【０１１４】
また、上記の説明では、本発明にいう重み係数の一例として、色修正の精度に応じた値に、オペレータによって設定される重み係数を例示したが、本発明はこれに限るものではない。本発明の重み係数は、例えば、固定値であっても良く、また、例えば、上記の色修正の精度を用いた所定の関係式によって値が表わされ、色修正の精度に応じた値に自動的に設定される重み係数等であっても良い。
【図面の簡単な説明】
【０１１５】
【図１】本発明の一実施形態が適用される印刷−プルーフシステムの全体構成図である。
【図２】図１にブロックで示す分光測色計およびパーソナルコンピュータの外観斜視図である。
【図３】パーソナルコンピュータのハードウェア構成図である。
【図４】本発明の色修正プログラムの一実施形態が記憶されたＣＤ−ＲＯＭを示す概念図である。
【図５】本発明の一実施形態である色修正機能付色変換装置の機能ブロック図である。
【図６】色修正に対する操作画面を示す図である。
【図７】修正テーブル作成処理を示すフローチャートを示す図である。
【図８】測定用サブ画面を示す図である。
【図９】精度表示用サブ画面を示す図である。
【図１０】図７に示す修正テーブル作成処理を示すフローチャートである。
【図１１】色変換処理を示すフローチャートである。
【符号の説明】
【０１１６】
１０    カラースキャナ
１１    原稿画像
２０    ワークステーション
３０    フィルムプリンタ
４０    印刷機
４１    印刷画像
６０    プリンタ
６１    プルーフ画像
７０    分光測色計
７５    ケーブル
８０    パーソナルコンピュータ
８１    本体装置
８１ａ    ＦＤ装填口
８１ｂ    ＣＤ−ＲＯＭ装填口
８１１    ＣＰＵ
８１２    主メモリ
８１３    ハードディスク装置
８１４    ＦＤドライブ
８１５    ＣＤドライブ
８１６    Ｉ／Ｏインタフェース
８２    画像表示装置
８２ａ    表示画面
８３    キーボード
８４    マウス
８５    バス
１００    フレキシブルディスク
１０１    ＣＤ−ＲＯＭ
２００    色修正機能付色変換プログラム
２１１    第１の測色値入手部
２１２    第２の測色値入手部
２１３    再処理制御部
２１４    テーブル作成部
２１５    テーブル選択部
２１６    網点画像データ入手部
２１７    デスクリーニング処理部
２１８    修正量算出部
２１９    二値多値変換部
２２０    ガウシアンフィルタ処理部
２２１    解像度変換部
２２２    デバイスリンクプロファイル作成部
２２３    カラーマッチング処理部
２２４    加算部
３００    ターゲットシステム
４００    画像再現システム
５００    色修正機能付色変換装置
５０１    第１の測色値入手部
５０２    第２の測色値入手部
５０３    再処理制御部
５０４    テーブル作成部
５０５    テーブル保存部
５０６    テーブル選択部
５０７    網点画像データ入手部
５０８    デスクリーニング処理部
５０９    修正量算出部
５１０    二値多値変換部
５１１    ガウシアンフィルタ処理部
５１２    解像度変換部
５１３    デバイスリンクプロファイル作成部
５１４    カラーマッチング処理部
５１５    加算部
６００    操作画面
６０１    ターゲットプロファイル指定部
６０１ａ    表示部
６０１ｂ    選択部
６０２    プリンタプロファイル指定部
６０２ａ    表示部
６０２ｂ    選択部
６０３    スクリーン条件指定部
６０３ａ    表示部
６０３ｂ    登録部
６０３ｃ    削除部
６０４    重み係数設定部
６０５    実行指示部
６０５ａ    チャート出力指示部
６０５ｂ    測定指示部
６０５ｃ    修正テーブル作成指示部
６０５ｄ    精度表示部
６０５ｅ    色修正実行指示部
６５０    測定用サブ画面
６５１    測定器指定部
６５２    チャート表示画面
６５３    開始指示部
６５４    データ保存指示部
６６０    精度表示用サブ画面
６６１    精度表示部
６６２    確定部
６６３    継続指示部
【図１】
2006101167.tif 000003
【図２】
2006101167.tif 000004
【図３】
2006101167.tif 000005
【図４】
2006101167.tif 000006
【図５】
2006101167.tif 000007
【図６】
2006101167.tif 000008
【図７】
2006101167.tif 000009
【図８】
2006101167.tif 000010
【図９】
2006101167.tif 000011
【図１０】
2006101167.tif 000012
【図１１】
2006101167.tif 000013